(57)【特許請求の範囲】
【請求項１】
原稿からの画像光を読み取って該画像光に応じた電気的な画像信号に変換するスキャナと、該スキャナからの画像信号を受信して該画像信号に応じた画像を形成するプリンタと、から構成される画像形成装置において、
前記スキャナに設けた第１記憶媒体に格納された前記スキャナの使用状態を示す識別符号と、前記プリンタに設けた第２記憶媒体に格納された前記プリンタの使用状態を示す識別符号と、から前記スキャナと前記プリンタの使用状態を判断する識別符号判断手段と、
該識別符号判断手段の判断結果により、前記第１記憶媒体に記憶された前記スキャナの特性を示すスキャナ特性情報を前記第２記憶媒体の一部に複写する第１複写手段と、
前記第１記憶媒体と前記第２記憶媒体に格納された前記識別符号の内容を書き換える識別符号書換手段と、を備え、
前記第１記憶媒体に記憶されている前記スキャナ特性情報を、前記第１複写手段によって前記第２記憶媒体の一部に複写した後に、前記識別符号書換手段によって前記第１記憶領域と前記第２記憶領域に格納された前記識別符号の内容を書き換えることを特徴とする画像形成装置。
【請求項２】
請求項１に記載の画像形成装置において、前記第２記憶媒体の一部に複写された前記スキャナ特性情報を前記第１記憶媒体に複写する第２複写手段を備え、前記識別符号判断手段の判断結果により前記第２複写手段によって前記第２記憶媒体の一部に複写された前記スキャナ特性情報を前記第１記憶媒体に複写することを特徴とする画像形成装置。
【請求項３】
請求項２に記載の画像形成装置において、前記第２記憶媒体の一部に複写された前記スキャナ特性情報の一部または全部を書き換える特性情報書換手段を備え、前記識別符号判断手段の判断結果により前記特性情報書換手段によって前記第２記憶媒体の一部に複写された前記スキャナ特性情報の一部または全部を書き換えた後に、前記第２複写手段によって前記第２記憶媒体の一部に複写された前記スキャナ特性情報を前記第１記憶媒体に複写することを特徴とする画像形成装置。
【発明の詳細な説明】
【０００１】
【発明の属する技術分野】
本発明は、スキャナとプリンタで構成される画像形成システにおいて、特に、スキャナの特性を示すスキャナ特性情報とプリンタの特性を示すプリンタ特性情報とを用いて画像処理を施す画像形成システに関するものである。
【０００２】
【従来の技術】
スキャナ特性情報を持つスキャナとプリンタ特性情報を持つプリンタとで構成される画像形成システムでは、別々に製造されたスキャナとプリンタが市場において接続され組み合わされてシステムを構成する。その場合、スキャナとプリンタ各々の特性情報は、各々に保有する不揮発性メモリに格納されている。したがって、一般のプリンタでの画像形成においては、スキャナ特性情報をプリンタ側で取り込んで、プリンタ特性情報と合わせて最適な画像の形成を図っている。
【０００３】
【発明が解決しようとする課題】
しかしながら、スキャナとプリンタの組み合わせを変えない画像形成システムの場合でも、電源の投入されるたびにプリンタ側ではスキャナからスキャナ特性情報を取り込んでくる必要があった。そのため、余分な処理時間が掛かったり、スキャナ特性情報を記憶させるメモリ容量が取り込んでくるまで判らないため、余分なメモリ容量の確保が必要であるという問題があった。また、スキャナのスキャナ特性情報を記憶した不揮発性メモリの破損のように、スキャナ側の電気制御部を交換する際、スキャナ特性情報を再び不揮発性メモリに書き込むことが必要なため、工場側で保管するスキャナの履歴をたどることになったり、スキャナの履歴がない最悪の場合にはスキャナ特性を初めから測定し直すことになったりして、多大な時間と労力を費やしていたという問題があった。
そこで、本発明の課題は、画像形成システムの電源を投入するたびにスキャナ特性情報を取り込むことを省き、スキャナ側の電気制御部を交換する際にスキャナの履歴をたどることをなくして、画像形成処理の効率を向上させた画像形成システムを提供することにある。
【０００４】
【課題を解決するための手段】
前記課題を解決するために、請求項１に記載の発明は、原稿からの画像光を読み取って該画像光に応じた電気的な画像信号に変換するスキャナと、該スキャナからの画像信号を受信して該画像信号に応じた画像を形成するプリンタと、から構成される画像形成装置において、前記スキャナに設けた第１記憶媒体に格納された前記スキャナの使用状態を示す識別符号と、前記プリンタに設けた第２記憶媒体に格納された前記プリンタの使用状態を示す識別符号と、から前記スキャナと前記プリンタの使用状態を判断する識別符号判断手段と、該識別符号判断手段の判断結果により、前記第１記憶媒体に記憶された前記スキャナの特性を示すスキャナ特性情報を前記第２記憶媒体の一部に複写する第１複写手段と、前記第１記憶媒体と前記第２記憶媒体に格納された前記識別符号の内容を書き換える識別符号書換手段と、を備え、前記第１記憶媒体に記憶されている前記スキャナ特性情報を、前記第１複写手段によって前記第２記憶媒体の一部に複写した後に、前記識別符号書換手段によって前記第１記憶領域と前記第２記憶領域に格納された前記識別符号の内容を書き換えることを特徴とする。
請求項２に記載の発明は、請求項１に記載の画像形成装置において、前記第２記憶媒体の一部に複写された前記スキャナ特性情報を前記第１記憶媒体に複写する第２複写手段を備え、前記識別符号判断手段の判断結果により前記第２複写手段によって前記第２記憶媒体の一部に複写された前記スキャナ特性情報を前記第１記憶媒体に複写することを特徴とする。
請求項３に記載の発明は、請求項２に記載の画像形成装置において、前記第２記憶媒体の一部に複写された前記スキャナ特性情報の一部または全部を書き換える特性情報書換手段を備え、前記識別符号判断手段の判断結果により前記特性情報書換手段によって前記第２記憶媒体の一部に複写された前記スキャナ特性情報の一部または全部を書き換えた後に、前記第２複写手段によって前記第２記憶媒体の一部に複写された前記スキャナ特性情報を前記第１記憶媒体に複写することを特徴とする。
【０００５】
【発明の実施の形態】
次に、本発明の実施の形態を添付図面に基づいて詳細に説明する。図１は、本発明の実施の形態に係る画像形成システムの主要部を示すブロック図である。図１において、スキャナ１０においては、不図示の原稿台に置かれた原稿を光源１５からの光で照射し、原稿からの反射光である画像光を光電変換素子であるＣＣＤ１１に導き、ＣＣＤ１１が画像光に応じた電気的な画像信号に変換する。ＣＣＤ１１で変換された画像信号は、回路部１２に入力され、信号増幅、信号合成、可変増幅および信号デジタル化（Ａ／Ｄ変換）の工程を経てプリンタ２０の画像処理部２１に出力される。
スキャナ１０の制御はコントローラ部１３を介して行なわれている。また、コントローラ部１３は、原稿を露光する光源１５をドライブするインバータ１６のオンおよびオフ機能、原稿を走査するために光源１５を取り付けたキャリッジ（図示せず）を駆動するモータ１７のドライブ機能、キャリッジのホームポジションを検出するセンサ１４の入力機能および 不揮発性の第１記憶媒体であるＥＥＰＲＯＭ１のアクセス機能を有している。さらに、後述するＥＥＰＲＯＭ１内のあらかじめ定められた所定の第１記憶領域１ａには、スキャナ１０の使用状態を示す識別符号が格納されている。この識別符号についても後で詳しく述べる。
また、プリンタ２０は、主に画像処理部２１、メイン制御部２２、エンジン部２３および操作・表示部２４から構成されている。画像処理部２１は、前述したように、スキャナ１０の回路部１２で処理した画像信号を受け取り、メイン制御部２２の指示に基づいた画像処理を画像信号に施しエンジン部２３に渡す。エンジン部２３は、画像処理部２１で処理した画像信号に基づいた画像を形成する。操作・表示部２４は、ＣＰＵ２２ａを介してデータを入力したり、ＲＡＭ２２ｃやＮＶＲＡＭ２に書かれている内容を変更したり、または、スキャナ１０やプリンタ２０の稼動状態を表示する。また、メイン制御部２２は、主にＣＰＵ２２ａとＲＯＭ２２ｂとＲＡＭ２２ｃから構成されており、ＣＰＵ２２ａからコントローラ部１３を介してスキャナ１０を制御できるようになっている。
メイン制御部２２のＣＰＵ２２ａは、ＲＯＭ２２ｂに格納されたプログラムに従い画像形成処理を実行し、スキャナ１０が接続されていない場合はプリンタ２０単独としての機能を実現し、また、スキャナ１０が接続されている場合は複写機としての機能を実現するようにプリンタ２０およびスキャナ１０を制御する。ＲＡＭ２２ｃは、ＣＰＵ２２ａの処理において一時的なデータの保管に用いられ、不揮発性の第２記憶媒体であるＮＶＲＡＭ２には、プリンタ２０における機器固有のプリンタ特性情報が記憶されている。
さらに、後述するＮＶＲＡＭ２内のあらかじめ定められた所定の第２記憶領域２ａには、該プリンタ２０の使用状態を示す識別符号が格納されている。この識別符号については後で詳しく述べる。また、スキャナ１０における機器固有のスキャナ特性情報は、コントローラ部１３に接続されるＥＥＰＲＯＭ１に記憶されており、スキャナ１０およびプリンタ２０のそれぞれの製造工程で、各特性情報は設定される。
【０００６】
また、メイン制御部２２は、上記に述べた機能の他、コントローラ部１３を介してＥＥＰＲＯＭ１の第１記憶領域１ａに格納されている識別符号を取り出してきて、スキャナ１０の使用状態を判断したり、ＮＶＲＡＭ２の第２記憶領域２ａに格納されている識別符号を取り出してきて、プリンタ２０の使用状態を判断したりする識別符号判断手段３の機能を果たす。
また、メイン制御部２２は、第１記憶領域１ａと第２記憶領域２ａに格納されている識別符号の判断結果により、ＥＥＰＲＯＭ１に記憶されているスキャナ特性情報をコントローラ部１３を介して読み出してきて、ＮＶＲＡＭ２の一部の領域に書き込む第１複写手段４の機能を果たす。
また、メイン制御部２２は、コントローラ部１３を介してＥＥＰＲＯＭ１の第１記憶領域１ａに格納されている識別符号の内容を書き換えたり、ＮＶＲＡＭ２の第２記憶領域２ａに格納されている識別符号の内容を書き換えたりする識別符号書換手段５の機能を果たす。
また、メイン制御部２２は、第１記憶領域１ａと第２記憶領域２ａに格納されている識別符号との判断結果により、ＮＶＲＡＭ２の一部の領域に書き込まれているスキャナ特性情報を読み出してきて、コントローラ部１３を介してＥＥＰＲＯＭ１のスキャナ特性情報を格納する特定の場所に複写する第２複写手段６の機能を果たす。
さらにまた、メイン制御部２２は、操作・表示部２４の機能を使ってＮＶＲＡＭ２に書き込まれているスキャナ特性情報を表示させ、キー入力させることによってその１部または全部を書き換える特性情報書換手段７の機能を果たす。ＮＶＲＡＭ２のスキャナ特性情報書き換え後、第２複写手段６は、第１記憶領域１ａと第２記憶領域２ａに格納されている識別符号との判断結果により、ＮＶＲＡＭ２の一部の領域に書き込まれているスキャナ特性情報を読み出してきて、コントローラ部１３を介してＥＥＰＲＯＭ１のスキャナ特性情報を格納する場所に複写する。
【０００７】
次に、本発明に関連したＥＥＰＲＯＭ１およびＮＶＲＡＭ２のメモリマップについて図２を用いて説明する。図２は、図１に示す画像形成システムにおける第１記憶媒体と第２記憶媒体の主要記憶領域を説明する説明図である。図２に示すように、ＥＥＰＲＯＭ１の００００番地から数バイトの領域（ここでは０００Ｆ番地まで）にスキャナ１０の使用状態を示す識別符号を格納する第１記憶領域１ａが設けられており、続いてスキャナ１０のスキャナ特性情報が格納されるスキャナデータ領域１ｂ（ここでは００１０番地から００ＦＦ番地まで）が配置されている。
同様に、ＮＶＲＡＭ２の００００番地から数バイトの領域（ここでは０００Ｆ番地まで）にプリンタ２０の使用状態を示す識別符号を格納する第２記憶領域２ａが設けられており、続いてデータ領域２ｃ（ここでは００１０番地から００ＦＦ番地まで）、プリンタ特性情報が格納されるプリンタデータ領域２ｂ（ここでは０１００番地から０１ＦＦ番地まで）が配置されている。また、ＮＶＲＡＭ２のデータ領域２ｃは、ＥＥＰＲＯＭ１のスキャナデータ領域１ｂと同じメモリ容量あるいはそれ以上のメモリ容量をもって設けられている。
【０００８】
ここで、図１と図２を参照しながら、メイン制御部２２の主要動作を説明する。先ず、製造工程の出荷に当たって、スキャナ１０のＥＥＰＲＯＭ１の第１記憶領域１ａおよびプリンタ２０のＮＶＲＡＭ２の第２記憶領域２ａには、スキャナ１０やプリンタ２０がシステムとして未使用の状態を示す所定の初期値、例えば「０」が格納されている。また、ＥＥＰＲＯＭ１のスキャナデータ領域１ｂにはスキャナ１０のスキャナ特性情報が格納され、ＮＶＲＡＭ２のプリンタデータ領域２ｂにはプリンタ特性情報が格納されている。
このような状況において、市場でスキャナ１０とプリンタ２０とからなる画像形成システムが構築されると、先ず、メイン制御部２２の第１機能としての識別符号判断手段３の作用によって、第１記憶領域１ａに格納されている識別符号と第２記憶領域２ａに格納されている識別符号が読み出され、スキャナ１０の使用状態とプリンタ２０の使用状態が判断される。この場合、識別符号が共に「０」であるので、システムとして未使用の始めての接続状態と判断される。
また、メイン制御部２２の第２機能としての第１複写手段４の作用によって、スキャナ１０の読み取り動作開始前に、ＥＥＰＲＯＭ１のスキャナデータ領域１ｂに記憶されているスキャナ特性情報をコントローラ部１３を介して読み出してきて、一旦ＲＡＭ２２ｃに書き込み、その後、ＲＡＭ２２ｃからＮＶＲＡＭ２のデータ領域２ｃに書き込む。また、ＮＶＲＡＭ２への書き込み後は、メイン制御部２２の第３機能としての識別符号書換手段５の作用によって、第１記憶領域１ａに格納されている識別符号と第２記憶領域２ａに格納されている識別符号の内容を「０」から、システムとして使用済みの「１」に書き換えて置く。
その後、スキャナ１０からの読み取り動作が開始され、プリンタ２０側で原稿画像に基づいた画像データの画像処理や画像形成処理を行なうに当たって、わざわざスキャナ１０のＥＥＰＲＯＭ１に記憶されているスキャナ特性情報を読み取ることなく、ＮＶＲＡＭ２のデータ領域２ｃに格納されたスキャナ特性情報とプリンタデータ領域２ｂに格納されているプリンタ特性情報を取り出してきて処理する。
また、電源の再投入に当たって、識別符号判断手段３が第１記憶領域１ａと第２記憶領域２ａに格納されている内容を判断し、共に「１」の識別符号を確認すると、メイン制御部２２はスキャナ１０のＥＥＰＲＯＭ１に記憶されているスキャナ特性情報を読み取ることなく、ＮＶＲＡＭ２のデータ領域２ｃに格納されたスキャナ特性情報とプリンタデータ領域２ｂに格納されたプリンタ特性情報を利用する。
【０００９】
次に、使用していたスキャナ１０の電気制御系に故障が生じ、ＥＥＰＲＯＭ１を含む制御系のプリント基板を交換したとすると、交換したプリント基板のＥＥＰＲＯＭ１にわざわざスキャナ特性情報を書き込まなくとも、ＥＥＰＲＯＭ１の第１記憶領域１ａに格納されている識別符号を「０」にした状態で、プリンタ２０側との接続を行なう。電源投入後、上記と同様な動作によって、メイン制御部２２の識別符号判断手段３の作用によって、第１記憶領域１ａに格納されている識別符号と第２記憶領域２ａに格納されている識別符号が読み出され、スキャナ１０の使用状態とプリンタ２０の使用状態が判断される。
この場合は、第１記憶領域１ａの識別符号は「０」を、第２記憶領域２ａの識別符号は「１」を示しているので、スキャナ１０がシステムとして未使用のことおよびプリンタ２０側のＮＶＲＡＭ２には既にスキャナ１０側のスキャナ特性情報を取り込んでいることが判る。したがって、メイン制御部２２の第４機能としての第２複写手段６の作用によって、ＮＶＲＡＭ２のデータ領域２ｃに格納されているスキャナ特性情報を読み出してきて、ＥＥＰＲＯＭ１のスキャナデータ領域１ｂにスキャナ特性情報を書き込む。さらに、スキャナ特性情報の書き込み終了後、メイン制御部２２の識別符号書換手段５の作用によって、ＥＥＰＲＯＭ１の第１記憶領域１ａに格納されている識別符号の内容を「０」から「１」に書き換えて置く。
【００１０】
図３は、図１における本発明の画像形成システムの主要動作を示したフロー図である。図３において、ＣＰＵ２２ａはスキャナ１０の接続を認識したら、スキャナ１０とプリンタ２０の識別符号を読み出す（ステップＳ１）。読み出した識別符号が初期接続を示す符号値か否かを調べる（ステップＳ２）。初めは初期接続を示す符号値であるため（ステップＳ２でＹｅｓ）、第１記憶媒体１のスキャナデータ領域１ｂからスキャナ特性情報を読み出し、ＲＡＭ２２ｃに書き込む（ステップＳ３）。次に、ＲＡＭ２２ｃに書き込んだスキャナ１０のスキャナ特性情報を第２記憶媒体２のデータ領域２ｃに書き込む（ステップＳ４）。
そして、第１記憶媒体１の第１記憶領域１ａの識別符号を初期接続を示す符号値「０」から初期接続終了を示す符号値「１」に書き換える（ステップＳ５）。また、第２記憶媒体２の第２記憶領域２ａの識別符号を同様に「０」から「１」に書き換える（ステップＳ６）。この一連の処理により、プリンタ２０の第２記憶媒体２にはプリンタ２０の機器固有のプリンタ特性情報とスキャナ１０の機器固有のスキャナ特性情報の両方が格納されるため、ＣＰＵ２２ａは同一基板（メイン制御部２２）上の第２記憶媒体２を読み出せばよい。
【００１１】
また、複写機の次回からの起動時（電源再投入時）の処理について、同じく図３を用いて説明する。図３において、ＣＰＵ２２ａはスキャナ１０の接続を認識したら、スキャナ１０とプリンタ２０の識別符号を読み出す（ステップＳ１）。読み出した識別符号が初期接続を示す符号値か否かを調べる（ステップＳ２）。今回は、読み出した識別符号は初期接続を示す符号値ではないため（ステップＳ２でＮｏ）、続いて読み出した識別符号はスキャナ電気系交換符号値か否かを調べる（ステップＳ７）。もし、スキャナ電気系交換符号値が否で（ステップＳ７でＮｏ）、同じ画像形成システム継続のまま電源再投入された時（上記の例ではスキャナ１０とプリンタ２０の識別符号が共に「１」である場合）、本ルーチンを終了する。次に、スキャナ１０の電気的な故障等により、第１記憶媒体を含むスキャナ制御部（図示しない）が交換された場合について言及する。
この場合は、プリンタ２０の第２記憶媒体２の第２記憶領域２ａには既にシステムとして使用済みの識別符号（上記の例では「１」）が書き込まれているが、スキャナ１０の第１記憶媒体１の第１記憶領域１ａの識別符号は未使用である初期値（上記の例では「０」）となっている。スキャナ１０の機器固有のスキャナ特性情報は、ランプ１５、回路部１２、モータ部１７およびそれを保持する筐体のバラツキに依存するため、それらの部品が交換されない限り機器の特性情報値は不変である。
この場合の処理について、図３を用いて説明する。図３において、ＣＰＵ２２ａはスキャナ１０の接続を認識したら、スキャナ１０とプリンタ２０の識別符号を読み出す（ステップＳ１）。読み出した識別符号が初期接続を示す符号値か否かを調べる（ステップＳ２）。読み出した識別符号は初期接続を示す符号値ではないため（ステップＳ２でＮｏ）、続いて読み出した識別符号はスキャナ電気系交換符号値か否かを調べる（ステップＳ７）。この場合、読み出した識別符号はスキャナ電気系交換符号値（上記の例ではスキャナ１０の識別符号は「０」、プリンタ２０の識別符号は「１」）であるので（ステップＳ７でＹｅｓ）、第２記憶媒体のデータ領域２ｃに格納されているスキャナ１０のスキャナ特性情報を読み出し、ＲＡＭ２２ｃに書き込む（ステップＳ８）。
さらに、ＲＡＭ２２ｃに書き込んだスキャナ１０のスキャナ特性情報を第１記憶媒体のスキャナデータ領域１ｂに移す（ステップＳ９）。最後に、スキャナ１０の第１記憶領域１ａの識別符号を（この例では「０」から「１」に）書き換え（ステップＳ１１）、処理を終了する。この一連の処理により、スキャナ１０の機器固有のスキャナ特性情報を、スキャナ１０側とプリンタ２０側の両方で記憶しておくことが可能となり、この後プリンタ２０の故障により、第２記憶媒体を含むメイン制御部２２あるいはプリンタ２０自体を交換せざるを得ない状況に遭遇しても、スキャナ１０はそのまま使用可能である。
【００１２】
図４は、スキャナ１０がプリンタ２０に接続し、複写機能を実現した状態でスキャナ１０の機器固有のスキャナ特性情報に依存する部品、すなわちランプ１５、回路部１２、モータ部１７およびそれを保持する筐体等を一部交換した場合についの処理動作に関するフロー図である。この場合は、第１記憶媒体１のスキャナデータ領域１ｂに格納されているスキャナ特性情報の内、一部のデータを調整作業により変更することになる。このとき、ユーザあるいはサービスマンは所定のマニュアルに従い調整処理を実行し、図１の操作・表示部２４から変更する値を入力することになる。
ＣＰＵ２２ａは、操作・表示部２４から入力されたアドレスとその値（データ）を一端ＲＡＭ２２ｃに格納し、不図示の決定キーの押下により第２記憶媒体２のデータ領域２ｃで該当アドレスのデータを変更する。この際、当然ながら第１記憶媒体１のスキャナデータ領域１ｂの該当アドレスにもデータを書き直す必要があるが、書き込み対象が第１記憶媒体１と第２記憶媒体２の２つであるため、ひとつの変更にかかる処理は２倍となる。
ここでは、上記の変更処理にかかる時間を短縮する本発明の方法を図４のフローチャートを用いて説明する。図４において、ユーザあるいはサービスマンが調整モードを選択すると、ＣＰＵ２２ａは操作・表示部２４へスキャナ特性情報の内容を表示させ（ステップＳ２１）、変更データの入力を待つ（ステップＳ２２でＮｏ）。操作・表示部２４からスキャナ１０のスキャナ特性情報の変更部分が入力されると（ステップＳ２２でＹｅｓ）、その変更データに該当する第２記憶媒体２のデータ領域２ｃのアドレスとデータをＲＡＭ２２ｃに一端格納し（ステップＳ２３）、決定キーの入力を待つ（ステップＳ２４でＮｏ）。操作・表示部２４からの決定キー入力を認識すると（ステップＳ２４でＹｅｓ）、ＣＰＵ２２ａは、ＲＡＭ２２ｃを読み出し、該当する第２記憶媒体のデータ領域２ｃのアドレスに、入力されたスキャナ特性情報の変更部分を書き込む（ステップＳ２５）。このようなＳ２２からＳ２５までの変更入力を変更がなくなるまで繰り返す（ステップＳ２６でＮｏ）。
【００１３】
その後、変更モードの終了を認識すると（ステップＳ２６でＹｅｓ）、第１記憶媒体１の第１記憶領域１ａの識別符号に初期接続を示す符号値（上記の例では「０」）を書き込み（ステップＳ２７）、操作・表示部２４の表示部に電源再投入を促すメッセージを表示する（ステップＳ２８）。この一連の処理の結果、ユーザあるいはサービスマンが電源を再投入すると、図３のフローチャートにより、（ステップＳ１）→（ステップＳ２）→（ステップＳ２でＮｏ）→（ステップＳ７）→（ステップＳ７でＹｅｓ）→（ステップＳ８）→（ステップＳ９）→（ステップＳ１０）という処理により、第２記憶媒体のデータ領域２ｃに格納するスキャナ特性情報を第１記憶媒体のスキャナデータ領域１ｂに複写する。したがって、操作・表示部２４によって書き換えられたスキャナ特性情報がスキャナ１０の第１記憶媒体１とプリンタ２０の第２記憶媒体２に格納されることになる。
【００１４】
【発明の効果】
以上説明したように、本発明によれば、識別符号判断手段によってスキャナとプリンタの使用状態を示す識別符号が判断され、その結果からスキャナとプリンタの接続が最初であると判断されると、第１複写手段によって第１記憶媒体に記憶されているスキャナ特性情報を第２記憶媒体の一部に複写するようになっているので、以後、電源の投入されるたびにスキャナとプリンタの特性情報はプリンタの第２記憶媒体から得られるようになって、システム構成の簡略化と画像形成処理の時間を短縮することができる。
また、本発明によれば、第１複写手段によって第１記憶媒体に記憶されているスキャナ特性情報を第２記憶媒体の一部に複写した後に、識別符号書換手段によって第１記憶領域と第２記憶領域に格納された識別符号の内容を書き換えるようになっているので、次の電源投入時に第１記憶領域と第２記憶領域の識別符号の内容を確認することによって、スキャナ特性情報がプリンタの第２記憶媒体に格納されているかを判断できるようになって、スキャナ特性情報をその都度読み込む時間が省け、システム構成の一層の簡略化と、画像形成処理の時間をさらに短縮することができる。
また、本発明によれば、スキャナの電気制御系に故障が生じ、第１記憶媒体を含む制御系のプリント基板を交換する場合、第２複写手段によって第２記憶媒体に複写されているスキャナ特性情報を第１記憶媒体に再複写するようになっているので、スキャナ特性情報を格納した第１記憶媒体の脱着の手間を省いたり、スキャナの履歴をたどってスキャナ特性情報を新たな第１記憶媒体に書き込む手間を省いたりできて、制御系プリント基板の交換時間を短縮させることができる。
また、本発明によれば、特性情報書換手段によって第２記憶媒体の一部に複写されたスキャナ特性情報の一部または全部を書き換えた後に、第２複写手段によって第１記憶媒体に複写するようになっているので、スキャナ特性情報の変更処理に要する時間を短縮できる。
【図面の簡単な説明】
【図１】本発明の実施の形態に係る画像形成システムの主要部を示したブロック図である。
【図２】図１に示す画像形成システムにおける第１記憶媒体と第２記憶媒体の主要記憶領域を説明する説明図である。
【図３】図１に示す画像形成システムの主要動作を説明するためのフローチャートである。
【図４】図１に示す画像形成システムにおけるスキャナ特性情報の変更にかかわる主要動作を説明するためのフローチャートである。
【符号の説明】
１  ＥＥＰＲＯＭ（第１記憶媒体）、１ａ  第１記憶領域、１ｂ  スキャナデータ領域、２  ＮＶＲＡＭ（第２記憶媒体）、２ａ  第２記憶領域、２ｂ  プリンタデータ領域、２ｃ  データ領域、３  識別符号判断手段、４  第１複写手段、５  識別符号書換手段、６  第２複写手段、７  特性情報書換手段、１０  スキャナ、１３  コントローラ部、２０  プリンタ、２２  メイン制御部、２２ａ  ＣＰＵ、２２ｂ  ＲＯＭ、２２ｃ  ＲＡＭ、２４  操作・表示部。
【図１】
0004113660.tif 000002
【図２】
0004113660.tif 000003
【図３】
0004113660.tif 000004
【図４】
0004113660.tif 000005